(57)【要約】      （修正有）【課題】ガイドレール部材により形成される中空部の下部を確実に閉塞することのできるシャッター及びシャッター付サッシを提供する。【解決手段】上枠と下枠及び左右の縦枠１２を枠組みしてなる枠体を有し、上枠は扉体を支持すると共に巻き上げて収納自在な収納部を有し、左右の縦枠１２の室外側には扉体の左右端部を案内するガイドレール部材１３が設けられ、下枠の端部であってガイドレール部材１３の下部には樹脂製の端部キャップ１４が設けられ、ガイドレール部材１３は端部キャップ１４の上方に中空部４３を形成し、中空部４３の内側下部には異なる二方向以上に面する加熱発泡材４４，４５，４６が設けられる。【選択図】図４
2014070398.tif 000002
【特許請求の範囲】
【請求項１】
上枠と下枠及び左右の縦枠を枠組みしてなる枠体を有し、前記上枠は扉体を支持すると共に巻き上げて収納自在な収納部を有するシャッターにおいて、
前記左右の縦枠の室外側には前記扉体の左右端部を案内するガイドレール部材が設けられ、前記下枠の端部であって前記ガイドレール部材の下部には樹脂製の端部キャップが設けられ、
前記ガイドレール部材は前記端部キャップの上方に中空部を形成し、該中空部の内側下部には異なる二方向以上に面する加熱発泡材が設けられることを特徴とするシャッター。
【請求項２】
前記加熱発泡材は前記中空部の内面のうち異なる方向に面する二面以上に取付けられることを特徴とする請求項１記載のシャッター。
【請求項３】
前記中空部は前記ガイドレール部材を構成する壁面及び前記縦枠を構成する壁面により形成され、前記加熱発泡材は前記ガイドレール部材を構成する壁面に設けられることを特徴とする請求項１または２記載のシャッター。
【請求項４】
前記ガイドレール部材は前記扉体の端部を飲み込む断面凹状の案内部を有し、該案内部を形成する側壁に加熱発泡材を設けることを特徴とする請求項１〜３のいずれか１項に記載のシャッター。
【請求項５】
サッシ枠体内に障子を納めてなり、請求項１〜４のいずれか１項に記載のシャッターを室外側に一体的に有してなることを特徴とするシャッター付サッシ。
【発明の詳細な説明】
【技術分野】
【０００１】
本発明は、建物開口部に設けられる枠体の上枠に巻回自在な扉体を納める収納部を設けたシャッター及びシャッター付サッシに関し、特に扉体の左右端部を案内するガイドレール部材における防火性能を高くしたシャッター及びシャッター付サッシに関する。
【背景技術】
【０００２】
建物開口部に設けられる枠体の上枠に巻回自在な扉体を納める収納部を設けたシャッター及びサッシと一体化したシャッター付サッシにおいて、高い防火性能を求められる場合がある。火災は、シャッターの室内側で発生する場合と室外側で発生する場合とがあるが、いずれの場合でも、シャッターによる室内外の遮蔽状態が維持されることが求められる。
【０００３】
シャッターの枠体を構成する縦枠には、扉体の左右端部を上下方向に案内するガイドレール部材が設けられる。ガイドレール部材には扉体を案内するために断面凹状の案内部が形成される。火災発生時に案内部と扉体の間の隙間を閉塞するため、案内部の側壁に、高温に晒されると発泡して大きく膨張する加熱発泡材を設けたシャッターが知られている。このようなシャッターとして例えば特許文献１に挙げるようなものがある。
【先行技術文献】
【特許文献】
【０００４】
【特許文献１】特開平１０−３３１５５３号公報
【発明の概要】
【発明が解決しようとする課題】
【０００５】
案内部の側壁に加熱発泡材を設けることで、火災が発生した場合に案内部と扉体の間の隙間を閉塞し、これらの間の隙間から炎を室内外に貫通させないようにすることができる。しかし、ガイドレール部材において火災発生時に隙間が生じうるのは、案内部と扉体の間だけではなく、これだけでは十分に防火性能を高くすることが困難である。
【０００６】
ガイドレール部材は、縦枠に取付けられることで、案内部の外周側に中空部を形成するが、その下端位置には下枠端部に取付けられる樹脂製の端部キャップが配置されている。火災発生時には樹脂製の端部キャップは溶け落ちてしまうため、外部と中空部とが貫通し、熱や可燃ガスの侵入及び炎の貫通を招くおそれがあった。
【０００７】
これを防止するため、ガイドレール部材により形成される中空部内の下部に加熱発泡材を配置し、火災発生時に中空部の下部を閉塞することも考えられる。しかし、加熱発泡材はガイドレール部材の内面に対し接着固定されているところ、加熱発泡材自身も高温に晒されることで接着力が弱まり、下方に落下する可能性がある。その際、前述のように、中空部の下端部に配置される端部キャップは溶け落ちてしまっているので、加熱発泡材も中空部の外に落下してしまい、中空部を閉塞するという機能を果たすことができないおそれがあった。
【０００８】
本発明は前記課題を鑑みてなされたものであり、ガイドレール部材により形成される中空部の下部を確実に閉塞することのできるシャッター及びシャッター付サッシを提供することを目的とする。
【課題を解決するための手段】
【０００９】
前記課題を解決するため、請求項１の発明に係るシャッターは、上枠と下枠及び左右の縦枠を枠組みしてなる枠体を有し、前記上枠は扉体を支持すると共に巻き上げて収納自在な収納部を有するシャッター付サッシにおいて、
前記左右の縦枠の室外側には前記扉体の左右端部を案内するガイドレール部材が設けられ、前記下枠の端部であって前記ガイドレール部材の下部には樹脂製の端部キャップが設けられ、
前記ガイドレール部材は前記端部キャップの上方に中空部を形成し、該中空部の内側下部には異なる二方向以上に面する加熱発泡材が設けられることを特徴として構成されている。
【００１０】
請求項１に係る発明によれば、火災発生時に高温に晒された加熱発泡材は、互いに圧接し合うように膨張するため、その圧力によって脱落することを防止することができる。
【００１１】
また、請求項２の発明に係るシャッターは、前記加熱発泡材は前記中空部の内面のうち異なる方向に面する二面以上に取付けられることを特徴として構成されている。
【００１２】
請求項２に係る発明によれば、加熱発泡材を中空部の内面に貼付けるだけで取付けることができ、簡単に加熱発泡材を設けることができる。
【００１３】
さらに、請求項３の発明に係るシャッターは、前記中空部は前記ガイドレール部材を構成する壁面及び前記縦枠を構成する壁面により形成され、前記加熱発泡材は前記ガイドレール部材を構成する壁面に設けられることを特徴として構成されている。
【００１４】
請求項３に係る発明によれば、ガイドレール部材に予め加熱発泡材を貼付けておき、ガイドレール部材を縦枠に固定することで、中空部内に容易に加熱発泡材を配置することができる。
【００１５】
さらにまた、請求項４の発明に係るシャッターは、前記ガイドレール部材は前記扉体の端部を飲み込む断面凹状の案内部を有し、該案内部を形成する側壁に加熱発泡材を設けることを特徴として構成されている。
【００１６】
請求項４に係る発明によれば、火災発生時に案内部内を加熱発泡材で充填することができ、案内部と扉体の間の隙間を塞ぐことができる。
【００１７】
そして、請求項５の発明に係るシャッター付サッシは、サッシ枠体内に障子を納めてなり、前記いずれかのシャッターを室外側に一体的に有してなることを特徴として構成されている。
【発明の効果】
【００１８】
本発明に係るシャッター及びシャッター付サッシによれば、火災発生時に、加熱発泡材が互いに圧接し合い、端部キャップが溶け落ちたことによる隙間に加熱発泡材が脱落することを防止できるので、ガイドレール部材により形成される中空部の下部を確実に閉塞することができる。
【図面の簡単な説明】
【００１９】
【図１】本実施形態におけるシャッターの縦断面図である。
【図２】本実施形態におけるシャッターの横断面図である。
【図３】下枠の分解斜視図である。
【図４】図２のうちガイドレール部材付近の拡大図である。
【図５】ガイドレール部材の斜視図である。
【図６】火災発生時に高温に晒された場合のガイドレール部材付近拡大図である。
【図７】加熱発泡材を第２の形態で配置した場合のガイドレール部材付近の拡大図である。
【図８】加熱発泡材を第３の形態で配置した場合のガイドレール部材付近の拡大図である。
【発明を実施するための形態】
【００２０】
本発明の実施形態について図面に沿って詳細に説明する。図１には本実施形態におけるシャッターの縦断面図を、図２には本実施形態におけるシャッターの横断面図を、それぞれ示している。これら各図に示すように、本実施形態のシャッターは、箱状を有する収納部２を有する上枠１０と下枠１１及び左右の縦枠１２，１２を方形状に枠組みした枠体１を有してなるものであり、この枠体１が建物開口部の室外側部分に取付けられる。
【００２１】
収納部２は、上面２０と下面２１及び側面２２を有しており、側面２２には巻き取り軸２３が回動自在に取付けられていて、多数のスラット３０を上下方向に連結してなる扉体３を巻回可能としており、収納部２内に扉体３を収納可能となるように構成されている。扉体３は、収納部２の下部に形成された開口部２４から下方に引き出し自在となっている。なお、図１は扉体３を引き出して全閉とした状態を表している。
【００２２】
収納部２を有する上枠２０は、上面２０を構成する上側部材１５と、下面２１を構成する下側部材１６とを有し、収納部２はさらに、側面２２を構成する側面部材１８と、上側部材１５から収納部２の室外側面を構成するカバー部材１７を有している。
【００２３】
縦枠１２の室外側には、扉体３の左右端部を上下方向に案内するガイドレール部材１３が設けられている。ガイドレール部材１３は、扉体３の左右端部を飲み込む凹状の案内部４０を備え、案内部４０の室外側には室外中空部４１を有している。室外中空部４１内にはスチール製のガイドレール補強材４２が設けられている。また、ガイドレール部材１３が縦枠１２に取付けられることで、案内部４０の外周側及び室内側には室内中空部４３が形成される。
【００２４】
扉体３の下端部には、ガイドレール部材１３間の略全長に渡る幅を有した幅木部材３１が設けられる。幅木部材３１は、面状に形成された室外面部３１ａの室外側に、逆Ｌ字状に突出する一体的な把手部３１ｂを有し、室外面部３１ａの室内側にはロックカバー材３３が設けられている。室外面部３１ａとロックカバー材３３に囲まれた領域には、扉体３が全閉となったときに幅木部材３１をロックするロック機構が納められる。
【００２５】
下枠１１の室外側部には、幅木部材３１を納めることができる凹状の溝部１１ａが形成されている。幅木部材３１を枠体１の下端部に配置することで、幅木部材３１が溝部１１ａに納められると共に、溝部１１ａを構成する下枠１１の室外側面１１ｂを、幅木部材３１の把手部３１ｂが跨いだ状態となる。
【００２６】
図３には、下枠１１の分解斜視図を示している。この図に示すように、下枠１１の溝部１１ａの両端部には、それぞれ樹脂製の端部キャップ１４，１４が取付けられる。下枠１１の端部キャップ１４が取付けられた領域を含む室外側両端部に、ガイドレール部材１３が立設される。
【００２７】
図４には、図２のうちガイドレール部材１３付近の拡大図を示している。ガイドレール部材１３の案内部４０は、互いに対向する室内側壁４０ａと室外側壁４０ｂとを有しており、室内側壁４０ａと室外側壁４０ｂの間の領域に扉体３の端部を納めている。室内側壁４０ａと室外側壁４０ｂには、左右中間位置に互いに対向するリブ４０ｃ，４０ｃが形成されている。
【００２８】
ガイドレール部材１３の室内中空部４３は、案内部４０を構成する底壁４０ｄと、室内側壁４０ａのうちリブ４０ｃより奥側と、室外側壁４３ａ、外周側壁４３ｂ、内周側壁４３ｃ、及び縦枠１２の室外側面によって囲まれた断面略Ｌ字状の領域として形成されている。ガイドレール部材１３は、前述のように下枠１１の端部キャップ１４が取り付けられた領域に立設されているため、室内中空部４３の下端部には端部キャップ１４が配置されている。
【００２９】
ガイドレール部材１３の下部には複数の加熱発泡材が取付けられる。加熱発泡材は、シート状に形成され所定温度以上になると体積が数十倍に増加するものである。図５には、ガイドレール部材１３の斜視図を示している。この図はガイドレール部材１３を室内側から見たものである。この図に示すように、ガイドレール部材１３の下端部には、３つの加熱発泡材４４，４５，４６が取付けられる。
【００３０】
１つめの加熱発泡材４４は、ガイドレール部材１３のうち案内部４０を構成する室内側壁４０ａの室内中空部４３側の面に取付けられる。２つめの加熱発泡材４５は、ガイドレール部材１３のうち室外側壁４３ａの室内中空部４３側の面に取付けられる。これら２つの加熱発泡材４４，４５は、室内側に向かって面するように配置される。
【００３１】
３つめの加熱発泡材４６は、ガイドレール部材１３のうち外周側壁４３ｂの室内中空部４３側の面に取付けられる。この加熱発泡材４６は、ガイドレール部材１３の内周側に向かって面するように配置される。
【００３２】
図４に示すように、加熱発泡材４４，４５は、室内中空部４３の室内側に向かって面しており、加熱発泡材４６は、室内中空部４３の内周側に向かって面している。火災が発生してシャッターが高温に晒されると、ガイドレール部材１３の下方に配置された端部キャップ１４は、樹脂材によって形成されているために溶け落ち、下枠１１の両端部に隙間を生じることとなる。このとき、加熱発泡材４４，４５，４６がそれぞれ熱を受けて発泡し、室内中空部４３の下部を塞いで、端部キャップ１４が失われることによって生じる隙間が、ガイドレール部材１３の室内中空部４３を介し室内側に連通しないようにする。
【００３３】
また、案内部４０を構成する室内側壁４０ａには、リブ４０ｃよりも開口側の扉体３と対向する面に、加熱発泡材４７が設けられている。この加熱発泡材４７は、ガイドレール部材１３の長手方向略全長に渡って設けられ、扉体３の端部室内側面に対向しており、火災発生時には扉体３と案内部４０の間の隙間を塞ぐ機能を有している。
【００３４】
図６には、火災発生時に高温に晒された場合のガイドレール部材１３付近拡大図を示している。この図に示すように、シャッターが高温に晒されると、ガイドレール部材１３から熱を受けた加熱発泡材４４，４５，４６は発泡して体積が膨張し、室内中空部４３を充填する。加熱発泡材４４，４５は室内側に向かって膨張し、加熱発泡材４６は内周側に向かって膨張する。
【００３５】
このとき、加熱発泡材４５と加熱発泡材４６は、互いに直交する方向に面しているため、発泡して膨張する方向も互いに直交し、膨張する先端部は互いに圧接する。また、加熱発泡材４４と加熱発泡材４６も、互いに直交する方向に面しており、外周側壁４３ｂに設けられた加熱発泡材４６は、膨張する先端部が案内部４０の室内側壁４０ａに設けられた加熱発泡材４４に対して圧接する。
【００３６】
すなわち、室内中空部４３内には、互いに異なる方向に面した複数の加熱発泡材４４，４５，４６が設けられているために、膨張に伴い互いに圧接し合って、室内中空部４３内を充填することとなる。加熱発泡材４４，４５，４６は、ガイドレール部材１３に対して接着固定されているため、高温に晒された際には接着力が小さくなって脱落しやすくなる。ガイドレール部材１３の下方は端部キャップ１４が溶け落ちているため空間となっており、加熱発泡材４４，４５，４６が脱落すると室内中空部４３を塞ぐ機能を果たすことができなくなるが、加熱発泡材４４，４５，４６同士が圧接し合うことにより、脱落を防止することができ、確実に室内中空部４３を閉塞することができる。したがって、防火性能を高くすることができる。
【００３７】
また、案内部４０内に設けられた加熱発泡材４７も、火災発生時には膨張し、案内部４０内を充填して案内部４０と扉体３の間の隙間を塞ぐことができる。特に、案内部４０のリブ４０ｃにより、加熱発泡材４７の膨張方向が、扉体３の納められる領域にある程度限定され、確実に扉体３と案内部４０の間の隙間を塞いで、火炎の侵入を防止することができる。
【００３８】
本実施形態では、室内中空部４３内の加熱発泡材を３つの面に設けているが、ガイドレール部材１３の形状や大きさに応じて、加熱発泡材の数は増減させることができる。ただし、少なくとも複数の加熱発泡材を設けると共に、少なくとも２つの加熱発泡材を互いに異なる方向に面するように配置することで、加熱発泡材の脱落を防止し確実にガイドレール部材１３内を閉塞することができる。
【００３９】
図７には、加熱発泡材を第２の形態で配置した場合のガイドレール部材１３付近の拡大図を示している。この場合、加熱発泡材４５は、案内部４０を構成する底壁４０ｄの室内中空部４３に臨む面に配置され、加熱発泡材４４は、室内中空部４３を構成する内周側壁４３ｃに配置されている。この場合も、加熱発泡材４４と加熱発泡材４５は、室内中空部４３の外周側壁４３ｂに配置された加熱発泡材４６と対向する向きに配置されており、発泡時には加熱発泡材４４，４５が加熱発泡材４６と圧接し合うことで、互いに脱落を防止することができる。
【００４０】
図８には、加熱発泡材を第３の形態で配置した場合のガイドレール部材１３付近の拡大図を示している。この場合、加熱発泡材４３は、室内中空部４３を構成する縦枠１２の室外側面に配置されている。この場合も、加熱発泡材４４と加熱発泡材４５は、室内中空部４３の外周側壁４３ｂに配置された加熱発泡材４６と対向する向きに配置されており、発泡時には加熱発泡材４４，４５が加熱発泡材４６と圧接し合うことで、互いに脱落を防止することができる。
【００４１】
その他に、例えば室内中空部４３内に水平な面を設けて加熱発泡材を載置し、それより上方の室内中空部４３を構成する壁面にも加熱発泡材を配置することでも、室内中空部４３内において異なる２方向以上に面するように加熱発泡材を配置することができ、互いに圧接し合うようにすることができる。
【００４２】
以上、本発明の実施形態について説明したが、本発明の適用は本実施形態には限られず、その技術的思想の範囲内において様々に適用されうるものである。本実施形態では、枠体１を有するシャッターについて説明したが、このシャッターは、方形状に枠組みされたサッシ枠体内に障子を納めてなるサッシの室外側に一体化されたシャッター付サッシに用いられるものである。
【符号の説明】
【００４３】
１    枠体
２    収納部
３    扉体
１０    上枠
１１    下枠
１２    縦枠
１３    ガイドレール部材
１４    端部キャップ
２３    巻き取り軸
２４    開口部
３０    スラット
３１    幅木部材
４０    案内部
４０ａ  室内側壁
４０ｂ  室外側壁
４０ｃ  リブ
４０ｄ  底壁
４１    室外中空部
４２    ガイドレール補強材
４３    室内中空部
４３ａ  室外側壁
４３ｂ  外周側壁
４３ｃ  内周側壁
４４    加熱発泡材
４５    加熱発泡材
４６    加熱発泡材
４７    加熱発泡材
【図１】
2014070398.tif 000003
【図２】
2014070398.tif 000004
【図３】
2014070398.tif 000005
【図４】
2014070398.tif 000006
【図５】
2014070398.tif 000007
【図６】
2014070398.tif 000008
【図７】
2014070398.tif 000009
【図８】
2014070398.tif 000010